(57)【要約】    【課題】映像のシーンなどに応じて光源の出力を最適に制御することにより、光源の長寿命化と消費電力の低減化を図る。    【解決手段】光源部からの光を映像データに応じて変調する電気光学変調部と、表示しようとする映像に係るシーン種別及び前記映像に含まれるカテゴリ情報を取得するシーン情報取得部１と、前記シーン種別とユーザ興味度と光源部の出力との関係を示す情報が記録された光源出力設定情報記録部２と、カテゴリ情報とカテゴリ情報に対するユーザ興味度との関係を示す情報が記録されたユーザプロファイル情報記録部３と、光源出力設定情報記録部２及びユーザプロファイル情報記録部３に記録された各前記情報を参照して、シーン情報取得部１で取得したシーン種別及びカテゴリ情報から光源出力設定を行う光源出力設定部４と、光源出力設定部４で設定された光源出力設定に基づいて光源部の出力制御を行う光源出力制御部５とを有する。【選択図】  図１
2006330330.tif 000002
【特許請求の範囲】
【請求項１】
光源部と、
前記光源部からの光を映像データに応じて変調する電気光学変調部と、
表示しようとする映像に係るシーン種別及び前記映像に含まれるカテゴリ情報を取得するシーン情報取得部と、
前記シーン種別とユーザ興味度と前記光源部の出力との関係を示す情報が記録された光源出力設定情報記録部と、
前記カテゴリ情報と前記カテゴリ情報に対するユーザ興味度との関係を示す情報が記録されたユーザプロファイル情報記録部と、
前記光源出力設定情報記録部及びユーザプロファイル情報記録部に記録された各前記情報を参照して、前記シーン情報取得部で取得した前記シーン種別及び前記カテゴリ情報から光源出力設定を行う光源出力設定部と、
前記光源出力設定部で設定された前記光源出力設定に基づいて前記光源部の出力制御を行う光源出力制御部と、
を有することを特徴とする表示装置。
【請求項２】
請求項１に記載の表示装置において、
前記シーン情報取得部は、メタ情報を抽出するメタ情報抽出部と、前記メタ情報を解析して前記シーン種別及び前記カテゴリ情報を取得するメタ情報解析部とを有することを特徴とする表示装置。
【請求項３】
請求項２に記載の表示装置において、
前記メタ情報は、前記映像情報とともに送られてくることを特徴とする表示装置。
【請求項４】
請求項１〜３のいずれかに記載の表示装置において、
前記光源出力設定部は、前記ユーザプロファイル情報記録部に記録された情報を参照して、前記シーン情報取得部で取得した前記カテゴリ情報から前記ユーザ興味度を取得するとともに、前記光源出力設定情報記録部に記録された情報を参照して、前記シーン情報取得部で取得したシーン種別及び前記ユーザ興味度から前記光源出力設定を行うことを特徴とする表示装置。
【請求項５】
請求項４に記載の表示装置において、
前記光源出力設定部が行う光源部出力設定は、ユーザにとって興味度の低い映像については、前記光源部の出力を、ユーザにとって興味度の高い映像よりも低く設定することを特徴とする表示装置。
【請求項６】
請求項１〜５のいずれかに記載の表示装置において、
前記表示装置は、直視型の表示装置であって、
前記光源部は、前記電気光学変調部のバックライトであることを特徴とする表示装置。
【請求項７】
請求項１〜５のいずれかに記載の表示装置において、
前記表示装置は、投写型の表示装置であって、
前記電気光学変調部で変調された光を投写する投写光学系を有することを特徴とする表示装置。
【請求項８】
請求項７に記載の表示装置において、
前記光源部及び／又は前記電気光学変調部の冷却を行う冷却ファンと、
前記シーン種別と前記ユーザ興味度と前記冷却ファンの出力との関係を示す冷却ファン出力設定情報が記録された冷却ファン出力設定情報記録部と、
前記ユーザプロファイル情報記録部及び前記冷却ファン出力設定情報記録部に記録された前記ユーザプロファイル情報及び前記冷却ファン出力設定情報を参照して、前記シーン情報取得部で取得した前記シーン種別及びカテゴリ情報から前記冷却ファンの出力を設定する冷却ファン出力設定部と、
前記光冷却ファン出力設定部で設定された前記冷却ファンの出力に基づいて前記冷却ファンの出力を制御する冷却ファン出力制御部とを有することを特徴とする表示装置。
【請求項９】
光源部と、前記光源部からの光を映像データに応じて変調する電気光学変調部とを有する表示装置における光源出力制御方法であって、
あらかじめ、表示しようとする映像に係るシーン種別と前記映像に含まれるカテゴリ情報に対するユーザ興味度と前記光源部の出力との関係を示す情報を光源出力設定情報記録部に記録するとともに、前記カテゴリ情報と前記カテゴリ情報に対する前記ユーザ興味度との関係を示す情報をユーザプロファイル情報記録部に記録しておくステップと、
表示しようとする映像に係るシーン種別及び前記映像に含まれるカテゴリ情報を取得するステップと、
前記光源出力設定情報記録部及びユーザプロファイル情報記録部に記録された各前記情報を参照して、前記取得した前記シーン種別及び前記カテゴリ情報から光源出力設定を行うステップと、
前記光源出力設定に基づいて前記光源部の出力制御を行うステップと、
を有することを特徴とする表示装置における光源出力制御方法。
【請求項１０】
光源部と、前記光源部からの光を映像データに応じて変調する電気光学変調部とを有する表示装置における光源出力制御プログラムであって、
前記表示装置に、
あらかじめ、表示しようとする映像に係るシーン種別と前記映像に含まれるカテゴリ情報に対するユーザ興味度と前記光源部の出力との関係を示す情報を光源出力設定情報記録部に記録するとともに、前記カテゴリ情報と前記カテゴリ情報に対する前記ユーザ興味度との関係を示す情報をユーザプロファイル情報記録部に記録しておくステップと、
表示しようとする映像に係るシーン種別及び前記映像に含まれるカテゴリ情報を取得するステップと、
前記光源出力設定情報記録部及びユーザプロファイル情報記録部に記録された各前記情報を参照して、前記取得した前記シーン種別及び前記カテゴリ情報から光源出力設定を行うステップと、
前記光源出力設定に基づいて前記光源部の出力制御を行うステップと、
を実行させる手順が記述されたことを特徴とする表示装置における光源出力制御プログラム。
【発明の詳細な説明】
【技術分野】
【０００１】
本発明は、表示される映像のシーンなどに応じて光源などを出力制御可能とする表示装置、表示装置における光源出力制御方法及び表示装置における光源出力制御プログラムに関する。
【背景技術】
【０００２】
近年、プロジェクタなどの表示装置によってテレビジョン番組やＤＶＤ（Digital Versatile Disc）などを鑑賞することが一般的に行われるようになってきた。
民間放送局によるテレビジョン放送においては、番組の開始及び終了時や番組の途中でコマーシャル（ＣＭという）が存在する。しかし、番組などの途中に何度も放映されるＣＭは、特別な場合を除いては、その番組を視聴しているユーザから望まれるものではない。
【０００３】
そこで、番組の途中で放送されるＣＭがユーザにとって不快とならないように適切に処理する技術は数多く提案されている（たとえば、特許文献１及び特許文献２参照）。
特許文献１に開示された技術は、ビデオテープレコーダ（ＶＴＲ）などで記録したテレビジョン番組などを再生する際にＣＭをスキップする技術であって、ＣＭをスキップさせる動作をユーザの一回の操作で行えるようにしたものである。これによれば、ユーザはＣＭの存在を気にすることなく録画したテレビジョン番組を視聴することができる。
【０００４】
一方、特許文献２に開示された技術は、ユーザの視聴している番組中のＣＭの音量を制御するものである。すなわち、番組中に放送されるＣＭは、ＣＭのユーザへのアピールを高めるために番組放送に比べて音量を大きくしているのが現状であり、ユーザが番組を見ている最中にＣＭに切り替わったときにＣＭの音量を小さくし、ＣＭが終了して番組に戻ったときに音量を元に戻すといった煩わしい操作を行うことがある。
【０００５】
特許文献２はこれに対処しようとする技術であり、番組であるかＣＭであるかを判定して、それぞれに応じた音量設定を可能とするものである。それによって、ユーザは特に何の操作を行うことなく快適な音量で番組を視聴することができるとされている。
【０００６】
【特許文献１】特開平９−２３３４１６号公報
【特許文献２】特開平１１−３４６３９６号公報
【発明の開示】
【発明が解決しようとする課題】
【０００７】
特許文献１及び特許文献２に開示された技術は、単に、番組とＣＭとを区別して再生中にＣＭをスキップさせたり（特許文献１）、番組とＣＭの音量制御を最適に制御したりする（特許文献２）技術である。
【０００８】
しかしながら、ユーザの好みがより多様化している状況にあっては、よりきめ細かい制御が望まれる。たとえば、ＣＭがユーザの注目する商品やイベントなどの案内であれば、たとえ番組を中断するＣＭあっても、ユーザはそのＣＭに注目する場合もある。また、ユーザの好みのタレントなどが出演するＣＭであっても、ＣＭとはいえユーザはそのＣＭに注目する場合もある。
これらの点についてみると、特許文献１及び特許文献２にそれぞれ開示された技術は、ユーザの要望を必ずしも反映できるものであるとはいえない。
【０００９】
ところで、表示装置がプロジェクタなどである場合、プロジェクタは光源出力を調整することができるのが一般的である。したがって、プロジェクタでテレビジョン番組を視聴する際、映像のシーンなどに応じて光源出力を最適なものとする制御を行うことが可能である。また、エネルギ資源の節約という観点においても、プロジェクタの光源は必要に応じて出力の大きさを設定することが望ましい。
【００１０】
たとえば、プロジェクタでテレビジョン放送を視聴する際、番組の放送中は、光源出力を大きくし、ＣＭの放送中は、光源出力を小さくするといった制御を行うことで、消費電力の節約にもなり、また、光源寿命も延ばすこともできる。さらに、ＣＭであっても、ＣＭ内容に応じて光源出力をきめ細かく制御するということも可能である。このような制御を行うことによって、ユーザに不快感を与えることなく最適な光源出力を得ることができる。
【００１１】
本発明は、表示しようとする映像の内容によって光源などの出力を最適に制御することにより、光源などの長寿命化と消費電力の低減化を図ることのできる表示装置、表示装置における光源出力制御方法及び表示装置における光源出力制御プログラムを提供することを目的とする。
【課題を解決するための手段】
【００１２】
（１）本発明の表示装置は、光源部と、前記光源部からの光を映像データに応じて変調する電気光学変調部と、表示しようとする映像に係るシーン種別及び前記映像に含まれるカテゴリ情報を取得するシーン情報取得部と、前記シーン種別とユーザ興味度と前記光源部の出力との関係を示す情報が記録された光源出力設定情報記録部と、前記カテゴリ情報と前記カテゴリ情報に対するユーザ興味度との関係を示す情報が記録されたユーザプロファイル情報記録部と、前記光源出力設定情報記録部及びユーザプロファイル情報記録部に記録された各前記情報を参照して、前記シーン情報取得部で取得した前記シーン種別及び前記カテゴリ情報から光源出力設定を行う光源出力設定部と、前記光源出力設定部で設定された前記光源出力設定に基づいて前記光源部の出力制御を行う光源出力制御部とを有することを特徴とする。
【００１３】
このように、本発明の表示装置によれば、表示しようとする映像のシーン種別やユーザの興味度に応じた最適な光源部の出力制御を行うことができる。これにより、消費電力の削減、光源部の長寿命化を図ることができる。
なお、本発明でいうシーン種別とは、映像の各シーンがどのようなシーンであるかを示すものであり、たとえば、テレビジョン放送においては「番組」、「ＣＭ」などを指し、ＤＶＤのような映画などにおいては、「本編」、「ＣＭ」、「予告」などを指す。また、本発明でいうカテゴリ情報は、映像に含まれるユーザの興味の対象となり得る様々な情報を抽出して得られたものであり、各シーンの特徴的な内容を示すキーワードなどで表すことができる。また、本発明でいうユーザ興味度とは、前記抽出された幾つかのカテゴリ情報に対してユーがどの程度の興味を持っているかを示すものである。
【００１４】
したがって、前記した光源部の出力制御の一例としては、たとえば、テレビジョン放送の番組などを鑑賞する場合であれば、ＣＭなどに対しては、光源出力レベルを低い設定とし、また、ＣＭであっても、そのＣＭがユーザにとって興味のある内容である場合には、光源出力レベルは低くせず、通常時における光源出力レベルを維持するというような光源制御を行うことができる。
【００１５】
（２）前記（１）に記載の表示装置においては、前記シーン情報取得部は、メタ情報を抽出するメタ情報抽出部と、前記メタ情報を解析して前記シーン種別及び前記カテゴリ情報を取得するメタ情報解析部とを有することが好ましい。
これにより、各シーンがどのようなシーンであるかを示すシーン種別（たとえば、「番組」か「ＣＭ」かなど）を抽出することができる。また、シーン種別とともに、各シーンのカテゴリ情報として、たとえば、各シーンの特徴的な内容を表すキーワードなどを抽出することができる。このようなシーン情報取得部を設けることにより、（１）に記載の表示装置を容易に実現することができる。
【００１６】
（３）前記（２）に記載の表示装置においては、前記メタ情報は、前記映像情報とともに送られてくることがこの好ましい。
メタ情報が映像情報とともに送られてくることにより、メタ情報を容易かつ適切に取得することができる。
【００１７】
（４）前記（１）〜（３）に記載の表示装置においては、前記光源出力設定部は、前記ユーザプロファイル情報記録部に記録された情報を参照して、前記シーン情報取得部で取得した前記カテゴリ情報から前記ユーザ興味度を取得するとともに、前記光源出力設定情報記録部に記録された情報を参照して、前記シーン情報取得部で取得したシーン種別及び前記ユーザ興味度から前記光源出力設定を行うことが好ましい。
【００１８】
これにより、ユーザ興味度に応じた最適な光源出力設定を行うことができる。たとえば、取得されたシーン種別がＣＭである場合、そのＣＭがユーザにとって興味度の低い内容であれば、光源部の出力は小さく設定し、また、そのＣＭがユーザにとって興味度の高い内容であれば、光源部の出力は番組と同じ出力を維持するというように、ユーザ興味度に応じた最適な光源部の出力を設定することができる。
【００１９】
（５）前記（４）に記載の表示装置においては、前記光源出力設定部が行う光源部出力設定は、ユーザにとって興味度の低い映像については、前記光源部の出力を、ユーザにとって興味度の高い映像よりも低く設定することが好ましい。
このように、ユーザにとって興味度の低い映像については、光源部の出力を低くする光源出力制御を行うことによって、ユーザに不快感を与えない範囲で、消費電力の削減、光源の長寿命化が図ることができる。
【００２０】
（６）前記（１）〜（５）のいずれかに記載の表示装置においては、前記表示装置は、直視型の表示装置であって、前記光源部は、前記電気光学変調部のバックライトとすることが可能である。
これは、表示装置がたとえば液晶テレビジョンなどのよう投写型ではない表示装置の場合である。表示装置が液晶テレビジョンのような直視型の表示装置である場合も、電気光学変調部に光を照射するバックライトとしての機能を有する光源部の出力を前記（１）と同様に制御することができる。
【００２１】
（７）前記（１）〜（５）のいずれかに記載の表示装置においては、前記表示装置は、投写型の表示装置であって、前記電気光学変調部で変調された光を投写する投写光学系を有することが好ましい。
これは、表示装置がたとえばプロジェクタなどの場合である。表示装置がプロジェクタである場合も、光源部の出力を前記（１）と同様に制御することができる。
【００２２】
（８）前記（７）に記載の表示装置においては、前記光源部及び／又は前記電気光学変調部の冷却を行う冷却ファンと、前記シーン種別と前記ユーザ興味度と前記冷却ファンの出力との関係を示す冷却ファン出力設定情報が記録された冷却ファン出力設定情報記録部と、前記ユーザプロファイル情報記録部及び前記冷却ファン出力設定情報記録部に記録された前記ユーザプロファイル情報及び前記冷却ファン出力設定情報を参照して、前記シーン情報取得部で取得した前記シーン種別及びカテゴリ情報から前記冷却ファンの出力を設定する冷却ファン出力設定部と、前記光冷却ファン出力設定部で設定された前記冷却ファンの出力に基づいて前記冷却ファンの出力を制御する冷却ファン出力制御部とを有する。
【００２３】
これによって、表示しようとする映像のシーン種別やユーザの興味度に応じた最適な冷却ファンの出力制御を行うことができる。このような冷却ファンの出力制御を行うことによって、消費電力の削減、冷却ファンの長寿命化を図ることができる。たとえば、テレビジョン放送の番組などを鑑賞する場合、映像のシーン種別が番組である場合には、冷却ファンは通常の出力レベルとし、映像のシーン種別がＣＭである場合には、冷却ファンの出力レベルを高い設定とするという冷却ファンの制御を行う。これによって、より大きな冷却効果を得るようにすることができる。また、シーン種別がＣＭであっても、そのＣＭがユーザにとって興味のある内容である場合には、冷却ファンの出力レベルは高くせず、通常時における冷却ファンの出力レベルを維持するということも可能となる。
【００２４】
このように、ユーザ興味度の低いシーンにおいて、冷却ファン出力レベルを大きくする制御を行うことによって、その間に十分な冷却を行うことができ、冷却効果をより一層高めることができる。また、ある番組中においてコマーシャルなどが周期的に何回も放送される場合、コマーシャルごとに冷却ファン出力レベルを大きくして、その間に十分な冷却を行なうことにより、番組などユーザの見たいシーンでは、冷却ファンの出力を通常よりも、許される範囲内で小さく設定することも可能である。
【００２５】
また、ユーザ興味度の低い映像については、冷却ファンの出力レベルを大きくする制御を行うとともに、光源出力レベルを小さくするというように、光源部の出力制御と冷却ファンの出力制御とを組み合わせることも可能である。このように、光源部と冷却ファンの両方をシーン種別やユーザ興味度に応じた制御を行うことで、ユーザに不快感を与えることなく、消費電力のより一層の削減が図れるとともに、光源部及び冷却ファンの長寿命化が図れる。
なお、ここでいう冷却用ファン出力レベルというのは、冷却用ファンの回転速度の高低を表すものとし、冷却用ファン出力レベルを大きくするということは冷却用ファンの回転速度の高くすることを意味している。
【００２６】
（９）本発明の表示装置における光源出力制御方法は、光源部と、前記光源部からの光を映像データに応じて変調する電気光学変調部とを有する表示装置における光源出力制御方法であって、あらかじめ、表示しようとする映像に係るシーン種別と前記映像に含まれるカテゴリ情報に対するユーザ興味度と前記光源部の出力との関係を示す情報を光源出力設定情報記録部に記録するとともに、前記カテゴリ情報と前記カテゴリ情報に対する前記ユーザ興味度との関係を示す情報をユーザプロファイル情報記録部に記録しておくステップと、表示しようとする映像に係るシーン種別及び前記映像に含まれるカテゴリ情報を取得するステップと、前記光源出力設定情報記録部及びユーザプロファイル情報記録部に記録された各前記情報を参照して、前記取得した前記シーン種別及び前記カテゴリ情報から光源出力設定を行うステップと、前記光源出力設定に基づいて前記光源部の出力制御を行うステップとを有することを特徴とする。
これにより、前記（１）と同様の効果を得ることができる。また、この表示装置における光源出力制御方法においても、前記（２）〜（８）に記載の特徴を有することが好ましい。
【００２７】
（１０）本発明の表示装置における光源出力制御プログラムは、光源部と、前記光源部からの光を映像データに応じて変調する電気光学変調部とを有する表示装置における光源出力制御プログラムであって、前記表示装置に、あらかじめ、表示しようとする映像に係るシーン種別と前記映像に含まれるカテゴリ情報に対するユーザ興味度と前記光源部の出力との関係を示す情報を光源出力設定情報記録部に記録するとともに、前記カテゴリ情報と前記カテゴリ情報に対する前記ユーザ興味度との関係を示す情報をユーザプロファイル情報記録部に記録しておくステップと、表示しようとする映像に係るシーン種別及び前記映像に含まれるカテゴリ情報を取得するステップと、前記光源出力設定情報記録部及びユーザプロファイル情報記録部に記録された各前記情報を参照して、前記取得した前記シーン種別及び前記カテゴリ情報から光源出力設定を行うステップと、前記光源出力設定に基づいて前記光源部の出力制御を行うステップとを実行させる手順が記述されたことを特徴とする。
これにより、前記（１）と同様の効果を得ることができる。また、この表示装置における光源出力制御プログラムにおいても、前記（２）〜（８）に記載の特徴を有することが好ましい。
【発明を実施するための最良の形態】
【００２８】
以下、本発明の実施の形態について説明する。なお、本発明の表示装置は以下に示す各実施形態においては投写型の表示装置（たとえばプロジェクタ）であるとして説明を行う。また、各実施形態では、表示装置によって表示される映像はテレビジョン放送であるとする。
【００２９】
[実施形態１]
図１は実施形態１に係る表示装置の構成を概略的に示す図である。図１に示すように、実施形態１に係る表示装置は、表示しようとする映像に係るシーン種別及び映像に含まれるカテゴリ情報を取得するシーン情報取得部１と、シーン種別とユーザ興味度と光源部の出力との関係を示す情報が記録された光源出力設定情報記録部２と、カテゴリ情報と該カテゴリ情報に対するユーザ興味度との関係を示す情報が記録されたユーザプロファイル情報記録部３と、光源出力設定情報記録部２及びユーザプロファイル情報記録部３に記録された各情報を参照して、シーン情報取得部１で取得したシーン種別及びカテゴリ情報から光源出力設定を行う光源出力設定部４と、光源出力設定部４で設定された光源出力設定に基づいて光源部の出力制御を行う光源出力制御部５とを有している。
【００３０】
図２は実施形態１に係る表示装置の光学系を概略的に示す図である。なお、図２は投写型表示装置としてのプロジェクタの光学系を上面から見た図である。図２に示すように、実施形態１に係る表示装置の光学系は、照明装置１００と、照明装置１００からの照明光束を赤色光、緑色光及び青色光の３つの色光に分離して色分離光学系２００と、色分離光学系２００で分離された３つの色光のそれぞれを映像データに応じて変調する３つの液晶表示装置３００Ｒ，３００Ｇ，３００Ｂと、これら３つの液晶表示装置３００Ｒ，３００Ｇ，３００Ｂによって変調された色光を合成するクロスダイクロイックプリズム４００と、クロスダイクロイックプリズム４００によって合成された光をスクリーンＳＣＲに投写する投写光学系５００を有している。
【００３１】
照明装置１００は、光源部としてのランプ１０１、平行化レンズ１０２、第１レンズアレイ１０３、第２レンズアレイ１０４、偏向変換素子１０５、重畳レンズ１０６を有している。
また、色分離光学系２００は、ダイクロイックミラー２０１，２０１、反射ミラー２０３，２０４、２０５、リレーレンズ２０６，２０７、フィールドレンズ２０８，２０９，２１０を有している。
【００３２】
図２に示されるランプ１０１は、図１の光源出力制御部５によってその出力が制御される。このランプ１０１の出力制御については後述する。なお、図２に示す光学系の構成は、後述する実施形態２〜４に係る表示装置においても共通に用いることができる。
【００３３】
ところで、図１におけるシーン情報取得部１は、映像データとともに送られてくるメタ情報を抽出するメタ情報抽出部１ａと、抽出されたメタ情報を解析してシーン種別及びカテゴリ情報を取得するメタ情報解析部１ｂとを有する。なお、シーン種別としては、本発明の各実施形態では、番組とＣＭとであるとする。
【００３４】
最近では、テレビジョン放送のデジタル化が進み、メタ情報（テキスト情報など）が映像データとともに配信されるようになりつつあるので、メタ情報に基づいて、たとえば、現在のシーンが番組であるかＣＭであるか示すシーン種別の取得は勿論のこと、それぞれのシーンにおけるカテゴリ情報を取得することは十分可能である。
【００３５】
メタ情報抽出部１ａによってメタ情報が抽出されると、メタ情報解析部１ｂでは、シーン種別の取得及びカテゴリ情報の取得を行う。本発明の各実施形態では、シーン種別は番組及びＣＭとしているので、現在のシーンが番組であるかＣＭであるかを取得し、さらに、それぞれのシーンにおけるカテゴリ情報を取得する。
【００３６】
図３は映像データ及び該映像データとともに送られてくるメタ情報の一例を説明する図である。図３（ａ）は映像データの時間的な流れの一例を示すもので、図３（ａ）のように、映像データは、この例の場合、番組とＣＭとで構成され、タイムスタンプ（分：秒で表すものとする）が付されている。図３（ａ）に示された映像データは、番組の開始後（０：００）にその番組が１０分続いたあとで、ＣＭが３０秒間挿入され、その後再び、番組が２０分４５秒続き、その後、ＣＭが４５秒間挿入され、そのＣＭの終了後、再び番組が続くというような内容となっている。
【００３７】
一方、メタ情報は、たとえば、図３（ｂ）に示すような表形式で記述されている。すなわち、図３（ｂ）に示すように、開始時間と終了時間（上述同様、分：秒で表すものとする）、それぞれの時間内における映像データのシーン種別（番組またはＣＭ）、各シーンにおけるカテゴリ情報として、たとえば、各シーンの特徴的な内容を示すキーワードなどが記述されている。なお、この図３の例では、メタ情報は表形式で示されているが、表形式でなく単純なテキスト形式やＸＭＬ形式であってもよい。
【００３８】
なお、図３の例は、テレビジョン放送におけるメタ情報の例について示したが、ＤＶＤのような映画などに付与されているメタ情報であってもよい。この場合、シーン種別としては、たとえば、「本編」、「ＣＭ」、「予告」などが考えられる。
【００３９】
図４はユーザプロファイル情報記録部３に保存されたユーザプロファイル情報の一例を示す図である。ユーザプロファイル情報記録部３は、カテゴリ情報とカテゴリ情報に対するユーザ興味度との関係が記録されている。具体的には、図４に示すように、ユーザの興味の対象となり得る様々な内容を幾つかのカテゴリ情報とし、それぞれのカテゴリ情報ごとのユーザ興味度が示された内容となっている。このユーザプロファイル情報記録部３に記録されるユーザプロファイル情報は、たとえば、与えられた幾つかのカテゴリ情報に対して、ユーザが自身の興味度を入力することによって作成することができる。
【００４０】
たとえば、ユーザの興味の対象となり得るカテゴリ情報が、「車」、「芸能人Ａ」、というように設定されているとすれば、あるユーザが自身の興味度（ユーザ興味度）として、たとえば、「車」に対するユーザ興味度は「Ｉ１」、「芸能人Ａ」に対するユーザ興味度は「Ｉ２」、「その他」に対するユーザ興味度は「Ｉ３」というように、各カテゴリ情報に対するユーザ興味度を入力することによって作成することができる。なお、この場合、ユーザ興味度は「Ｉ１」，「Ｉ２」，「Ｉ３」の３段階として、「Ｉ１」が最も高い興味度であって、以降、「Ｉ２」、「Ｉ３」の順であるする。
【００４１】
図５は光源出力設定情報記録部２に記録された光源出力設定情報を示す図である。光源出力設定情報記録部２には、シーン種別として「番組」または「ＣＭ」のいずれかが設定され、「ＣＭ」に対してはユーザ興味度として、「Ｉ１」，「Ｉ２」，「Ｉ３」のいずれかが対応付けられる。そして、シーン種別とそのシーン種別に対するユーザ興味度とに対応した光源出力レベル「Ｌ１」〜「ｌ５」が設定されている。なお、光源出力レベル「Ｌ１」〜「ｌ５」は、「Ｌ１」が最も光源出力レベルが高く、以下、「Ｌ２」，「Ｌ３」，・・・の順であるとする。
【００４２】
この図５の例では、シーン種別が「ＣＭ」であって、ユーザ興味度が「Ｉ１」である場合は光源出力レベル「Ｌ１」、シーン種別が「ＣＭ」であって、ユーザ興味度が「Ｉ２」である場合は光源出力レベル「Ｌ３」、シーン種別が「ＣＭ」であって、ユーザ興味度が「Ｉ３」である場合は光源出力レベル「Ｌ５」というような対応付けがなされる。また、シーンが「番組」である場合は、ユーザ興味度に関係なく、光源出力レベルは、最大の「Ｌ１」としている。
【００４３】
これにより、たとえば、シーン情報取得部１で検出された現在のシーンが「ＣＭ」であって、その「ＣＭ」に対するユーザ興味度が「Ｉ１」である場合には、光源出力レベル「Ｌ１」が設定される。
【００４４】
図６は光源出力レベルに対する光源出力の関係を示す図である。図６に示すように、光源出力レベル「Ｌ１」，「Ｌ２」，「Ｌ３」，「Ｌ４」，「Ｌ５」について、これら各光源出力レベルごとに輝度（ｌｍ：ルーメン）と光源パワーが記述されている。この図６の例では、輝度は「１５００ｌｍ」、「１２００ｌｍ」、「１０００ｌｍ」、「８００ｌｍ」、「５００ｌｍ」の５段階に設定され、光源パワーも、光源パワーの大きい順に「Ｐ１」，「Ｐ２」，「Ｐ３」，「Ｐ４」，「Ｐ５」の５段階に設定されている。
【００４５】
次に、実施形態１に係る表示装置の動作手順を図７のフローチャートを参照しながら説明する。まず、シーン情報取得部１では現在放送されている映像のシーン種別を検出する（ステップＳ１）。これは、映像データからメタ情報（図３（ｂ）参照）をメタ情報抽出部１ａで抽出し、抽出されたメタ情報からメタ情報解析部１ｂがシーン種別を取得し、「番組」か「ＣＭ」かの区別を行うとともに、当該シーンの特徴的な内容を表すキーワードをカテゴリ情報として取得する。ここで、現在のシーン種別が「ＣＭ」であって、そのＣＭのキーワードが「芸能人Ａ」であったとする。
【００４６】
一方、光源出力設定部４では光源出力設定情報記録部２に記録された光源出力設定情報（図５参照）の読み込みを行うとともに、ユーザプロファイル情報記録部３に記録されたユーザプロファイル情報（図４参照）の読み込みを行う（ステップＳ２，Ｓ３）。
そして、光源出力設定部４では、シーン情報取得部１で検出されたシーン種別と、読み込んだ光源出力設定情報及びユーザプロファイル情報とに基づいて光源出力設定行う（ステップＳ４）。続いて、光源出力制御部５では、光源出力設定部４により設定された光源出力設定に基づいて光源出力制御を行う（ステップＳ５）。
【００４７】
すなわち、この場合、シーン情報取得部１では、シーンの区別として「ＣＭ」、その「ＣＭ」のキーワードとして「芸能人Ａ」が取得されている。また、図４に示すユーザプロファイル情報記録部３からは、ユーザの「芸能人Ａ」に対するユーザ興味度が「Ｉ２」であることが取得される。
これにより、光源出力設定部４は、図５示す光源出力設定情報記録部２を参照して、この場合、図５における項目番号「２」を取得する。すなわち、項目番号「２」は、シーン種別が「ＣＭ」であって、ユーザ興味度が「Ｉ２」であるので、光源出力設定部４は、光源出力設定として光源出力レベル「Ｌ３」を設定する。
【００４８】
このようにして、光源出力設定部４が光源出力レベル「Ｌ３」を設定すると、その光源出力レベル「Ｌ３」を光源出力制御部５に渡す。これにより、光源出力制御部５は、光源出力設定部４から渡された光源出力レベル「Ｌ３」に基づく光源の出力制御を行う。すなわち、図６に示すように、光源出力レベル「Ｌ３」は、輝度が「１０００ｌｍ」、光源パワーが「Ｐ３」であるので、それに基づいた光源の出力制御、すなわち、図２に示すランプ１０１の制御を行う。これにより、それまでは通常の「番組」を放送していたとすれば、「番組」放送中の輝度は「１５００ｌｍ」、光源パワーは「Ｐ１」であったものが、「ＣＭ」に切り替わった時点で、輝度が「１０００ｌｍ」、光源パワーが「Ｐ３」となる。
【００４９】
なお、上述の例では、「ＣＭ」に対するユーザ興味度が「Ｉ２」であって、その「ＣＭ」の内容がユーザにとって、ある程度の興味があるということであったため、光源出力レベル「Ｌ３」であったが、「ＣＭ」の内容がユーザにとって興味の低い、ユーザ興味度「Ｉ３」である場合は、図５に示す光源出力設定情報記録部２によれば、光源出力レベルは、最低の「Ｌ５」である。
このため、この場合は、「ＣＭ」に切り替わった時点で、輝度が「５００ｌｍ」、光源パワーが「Ｐ３」となり、さらに暗い映像となる。
【００５０】
そして、「ＣＭ」が終了して「番組」に戻ると、図５に示す光源出力設定情報記録部２によれば、光源出力レベルは、ユーザ興味度に関係なく、最高の「Ｌ１」となる。このため、「番組」に戻った時点で、輝度が「１５００ｌｍ」、光源パワーが「Ｐ１」となり、明るく見やすい映像となる。
【００５１】
なお、「ＣＭ」の内容がユーザにとって非常に興味のある、ユーザ興味度「Ｉ１」である場合は、図５に示す光源出力設定情報記録部２に記録された光源出力設定情報によれば、光源出力レベルは、最高の「Ｌ１」である。このため、この場合は、「番組」から「ＣＭ」に切り替わった場合であっても、輝度は「１５００ｌｍ」、光源パワーは「Ｐ１」をそのまま維持する。
【００５２】
以上説明したように、実施形態１によれば、シーン種別が「番組」である場合には、光源出力レベルは最高の「Ｌ１」、すなわち、輝度が「１５００ｌｍ」、パワーが「Ｐ１」での表示がなされ、シーン種別が「ＣＭ」である場合は、「ＣＭ」の内容がユーザにとって興味度の高いものであれば、高い光源出力レベルを設定し、「ＣＭ」の内容がユーザにとって興味度の低いものであれば、低い光源出力レベルを設定するというように、「ＣＭ」の内容に応じた光源出力レベルを設定する。
【００５３】
これにより、ユーザの注目する映像については明るく見やすい映像を表示し、ユーザの注目していない映像については、光源出力レベルを低い設定、すなわち、省エネルギ設定での映像表示を行うので、ユーザに不快感を与えることなく、消費電力の削減、光源の長寿命化の向上を図ることができる。
【００５４】
[実施形態２]
実施形態２に係る表示装置は光源出力設定情報記録部２に記憶された光源出力設定情報及びユーザプロファイル情報記録部３に記憶されたユーザプロファイル情報を変更可能としたものである。
【００５５】
図８は実施形態２に係る表示装置の構成を概略的に示す図である。図８に示すように、実施形態２に係る表示装置は、光源出力設定情報記録部２に記憶された光源出力設定情報を変更可能とする光源出力設定情報変更部１１と、ユーザプロファイル情報記録部３に記録されたユーザプロファイル情報を変更可能とするユーザプロファイル情報変更部１２を有している。その他の構成は、図１と同じであるので、同一構成要素には同一番号が付されている。
【００５６】
図９は光源出力設定情報記録部２に記録された光源出力設定情報の変更方法の一例を示す図である。たとえば、表示装置によって図９に示すような画面を表示し、ユーザはその画面を見ながら光源出力設定情報の設定変更を行うことができる。
図９の例では、シーン種別として「番組」または「ＣＭ」、興味度として「Ｉ１」〜「Ｉ３」、光源出力レベルとして「Ｌ１」〜「Ｌ５」をそれぞれプルダウンメニューによって変更可能とする。これによって、図５に示す光源出力設定情報記録部２に記録された光源出力設定情報を変更することができる。
【００５７】
たとえば、図５においては、シーン種別が「ＣＭ」、ユーザ興味度が「Ｉ１」の場合の光源出力レベルは「Ｌ１」であったが、シーン種別が「ＣＭ」、ユーザ興味度が「Ｉ１」の場合の光源出力レベルを「Ｌ２」とするといった変更が可能となる。
【００５８】
図１０はユーザプロファイル情報記録部３に記録されたユーザプロファイル情報の変更方法の一例を示す図である。たとえば、表示装置によって、図１０に示すような画面を表示し、ユーザはその画面を見ながらユーザプロファイル情報の変更を行うことができる。図１０の例では、カテゴリ情報と、そのカテゴリ情報に対するユーザ興味度とをそれぞれプルダウンメニューによって変更可能とする。これによって、図４に示すユーザプロファイル情報記録部３に記録されたユーザプロファイル情報を変更することができる。
【００５９】
たとえば、図４においては、「車」というカテゴリ情報に対するユーザ興味度が「Ｉ１」であったが、このユーザ興味度を「Ｉ２」にするなど、それぞれのカテゴリ情報に対するユーザ興味度の変更が可能となる。また、カテゴリ情報そのものの変更や追加も可能である。
【００６０】
[実施形態３]
実施形態３に係る表示装置は、表示装置を使用する部屋の明るさなどの環境情報を取得して、取得した環境情報をも考慮した光源の出力制御を行うことを可能としたものである。
【００６１】
図１１は実施形態３に係る表示装置の構成を概略的に示す図である。図１１に示すように、実施形態３に係る表示装置は、表示装置を使用する部屋の環境情報を取得する環境情報取得部２１を有している。なお、光源出力設定情報記録部２の内容には環境情報としての部屋の明るさ情報が記述される。その他の構成は、図１と同じであるので、同一構成要素には同一番号が付されている。
【００６２】
環境情報取得部２１は、たとえば、光を検出可能なセンサを表示装置に取り付けて、そのセンサからの情報に基づいて部屋の明るさに関する情報を環境情報として取得する。そして、取得された環境情報は光源出力設定部４に与えられる。光源出力設定部４では、環境情報を受け取ると、光源出力設定情報記録部２を参照し、シーン種別、ユーザ興味度に加えて、環境情報としての部屋の明るさ情報をも考慮した光源出力レベルを設定する。
【００６３】
図１２は実施形態３に係る表示装置に用いられる光源出力設定情報記録部２に記憶された光源出力設定情報の一例を示す図である。この場合の光源出力設定情報は、図１２に示すように、「シーン種別」、「ユーザ興味度」、「部屋の明るさ」と、これらに対応した「光源出力レベル」が記録される。なお、部屋の明るさ情報としては、たとえば、１０段階の明るさ情報が取得できるものとし、それを「Ｂ１」〜「Ｂ１０」の値で表示する（「Ｂ１０」が最も明るいとする）。
【００６４】
図１２の例では、「シーン種別」が「ＣＭ」、ユーザ興味度が「Ｉ２」、部屋の明るさが「Ｂ６〜Ｂ１０」の場合は、光源出力レベル「Ｌ４」が設定され、シーン種別が「ＣＭ」、ユーザ興味度が「Ｉ２」、部屋の明るさが「Ｂ１〜Ｂ５」の場合は、光源出力レベル「Ｌ５」が設定された例が示されている。
【００６５】
次に、実施形態３に係る表示装置の動作手順を図１３のフローチャートを参照しながら説明する。図１３のフローチャートにおけるステップＳ１１〜Ｓ１３までは、図７のステップＳ１〜Ｓ３と同じであるので、ステップＳ１４以降の動作について説明する。
【００６６】
環境情報取得部２１は環境情報として部屋の明るさ情報を取得する（ステップＳ１４）。たとえば、Ｂ１〜Ｂ１０段階の明るさ情報として「Ｂ８」が取得されたとする。
そして、光源出力設定部４では、シーン情報取得部１で検出されたシーン種別と、読み込んだ光源出力設定情報及びユーザプロファイル情報と、環境情報取得部２１で取得された部屋の明るさ情報とに基づいて光源出力設定を行う（ステップＳ１５）。続いて、光源出力制御部５では、光源出力設定部４により設定された光源出力設定に基づいて光源の出力制御を行う（ステップＳ１６）。
【００６７】
すなわち、この場合、シーン情報取得部１では、シーン種別として「ＣＭ」、その「ＣＭ」に対するユーザ興味度が「Ｉ２」であることが取得される。さらに、環境情報取得部２１で取得された部屋の明るさ情報が「Ｂ８」であるので、これらにより、光源出力設定部４は、図１２示す光源出力設定情報記録部２を参照して、この場合、図１２における項目番号「１」を取得する。すなわち、この項目番号「１」は、シーン種別が「ＣＭ」であって、ユーザ興味度が「Ｉ２」であるので、光源出力設定部４は、光源出力設定として光源出力レベル「Ｌ４」を設定する。
【００６８】
このようにして、光源出力設定部４が光源出力レベル「Ｌ４」を設定すると、その光源出力レベル「Ｌ４」を光源出力制御部５に渡す。これにより、光源出力制御部５は、光源出力設定情報記録部２から渡された光源出力レベル「Ｌ４」に基づく光源の出力制御を行う。すなわち、図６に示すように、光源出力レベル「Ｌ４」は、輝度が「８００ｌｍ」、光源パワーが「Ｐ４」であるので、それに基づいた光源の出力制御、すなわち、図２に示すランプ１０１の制御を行う。
【００６９】
また、逆に、部屋の明るさとして「Ｂ２」が取得された場合には、比較的暗い部屋である。この場合は、図１２によれば、光源出力レベル「Ｌ５」が設定される。これにより、光源出力制御部５は、光源出力レベル「Ｌ５」に基づく光源の出力制御を行う。すなわち、図６に示すように、光源出力レベル「Ｌ５」は、輝度が「５００ｌｍ」、光源パワーが「Ｐ５」であるので、それに基づいた光源の出力制御、すなわち、図２に示すランプ１０１の制御を行う。
【００７０】
このように、実施形態３に係る表示装置によれば、明るい部屋の場合には、光源出力も大きくし、暗い部屋の場合には光源出力を小さくするというように、部屋の明るさをも考慮した光源出力制御を行うことができる。これは、一般的に明るい部屋の場合には、画面を多少明るくした方が見やすく、暗い部屋の場合は、画面をそれほど明るくしなくても見やすいということがいえるので、これを考慮した適切な光源出力の設定が可能となる。
【００７１】
なお、図１２に示す光源出力設定情報記録部２に記録された光源出力設定情報においては、シーン種別は「ＣＭ」である場合のみが示されているが、シーンとして「番組」を加えることも可能であることは勿論であり、「番組」の場合にも、部屋の明るさを考慮した光源出力設定を行うことが可能である。
【００７２】
また、図１２の例では、１０段階の部屋の明るさを「Ｂ１〜Ｂ５」、「Ｂ６〜Ｂ８」というように２種類に大別して、光源出力設定を行う例が示されているが、部屋の明るさを、たとえば、「Ｂ１〜Ｂ３」、「Ｂ４，Ｂ５」、「Ｂ６，Ｂ７」、「Ｂ８〜Ｂ１０」というように、より細かい段階に分けて、それぞれの段階ごとに、光源出力を設定することも可能であることは勿論である。
【００７３】
また、図１１に示す構成において、図８で説明したよう光源出力設定情報変更部１１及びユーザプロファイル情報変更部１２を設けることも可能であることは勿論である。
【００７４】
[実施形態４]
これまで説明した各実施形態では、光源の出力制御を行うようにしたが、実施形態４に係る表示装置では光源の出力制御だけでなく、表示装置の光源及び／又は電気光学変調部の冷却を行う冷却ファン（図示せず）の出力制御をも可能とする。
【００７５】
図１４は実施形態４に係る表示装置の構成を概略的に示す図である。図１４に示すように、実施形態４に係る表示装置は、図１に示した実施形態１に係る表示装置の構成に、冷却ファン出力設定情報記録部３１、冷却ファン出力設定部３２、冷却ファン出力制御部３３をさらに有している。
【００７６】
図１５は冷却ファン出力設定情報記録部３１に記録された冷却用ファン設定情報の一例を示す図である。図１５の例では、冷却ファン出力レベルを「Ｌ１」，「Ｌ２」の２段階とし、シーン種別が「番組」の場合及びユーザ興味度の高い「ＣＭ」の場合は、冷却ファン出力レベルを「Ｌ１」とし、それ以外は冷却ファン出力レベルを「Ｌ２」とするような設定となっている。
【００７７】
なお、ここでいう冷却用ファン出力レベルというのは、前述したように、冷却用ファンの回転速度の高低を表すものとする。この場合、冷却ファン出力レベルは、「通常」と「高速」の２段階とし、冷却ファン出力レベル「Ｌ１」は「通常」、冷却ファン出力レベル「Ｌ２」は「高速」であるとする。
【００７８】
また、図１５に示す冷却ファンの出力設定情報は、図５に示した光源出力設定情報とは別個に作成した例であるが、図１６に示すように、冷却ファン出力設定情報を図５に示す光源出力設定情報に付加するような形式であってもよいことは勿論である。
【００７９】
このような冷却ファン出力設定情報を持つことにより、たとえば、シーン種別が「ＣＭ」であって、その「ＣＭ」に対するユーザ興味度が低い（たとえば、ユーザ興味度が「Ｉ２」または「Ｉ３」）場合には、冷却ファン出力設定部３２が冷却ファン出力設定情報記録部３１を参照して、冷却ファン出力レベルを設定する。この場合、たとえば、項目番号「２」が取得される。すなわち、この項目番号「２」は、シーン種別が「ＣＭ」であって、ユーザ興味度が「Ｉ２」であるので、冷却ファン出力設定部３２は、冷却ファン出力レベル「Ｌ２」を設定する。
【００８０】
これによって、冷却ファン出力制御部３３は、冷却ファンの回転速度を高速とする制御を行う。一方、シーン種別が「ＣＭ」であっても、その「ＣＭ」がユーザ興味度の高いものであれば、冷却ファンの回転速度は通常とする。
なお、このとき、光源の出力制御も同時に行えることは勿論である。この光源の出力制御については、既に説明したのでここではその説明は省略する。
【００８１】
このように、ユーザ興味度の低いシーンにおいて、冷却ファンの回転速度を高くする制御を行うことによって、その間に十分な冷却を行うことができ、冷却効果をより一層高めることができる。また、ある番組中において「ＣＭ」などが周期的に何回も放送される場合、「ＣＭ」ごとに冷却ファンの回転速度を高くして、その間に十分な冷却を行なうことにより、「番組」などユーザの見たいシーンでは、冷却ファンの回転速度を通常よりも、許される範囲内で低く設定するというような制御も可能である。
【００８２】
なお、図１４に示す構成において、図８で説明した光源出力設定情報変更部１１及びユーザプロファイル情報変更部１２を設けることも可能であり、さらに、図１１で説明した環境情報取得部２１を設けることも可能であることは勿論である。また、冷却ファン出力設定情報記録部３１に記録された冷却ファン出力設定情報を変更可能な冷却ファン出力設定情報変更部（図示せず）を設けることも可能である。
【００８３】
本発明は上述の実施の形態に限られるものではなく、本発明の要旨を逸脱しない範囲で種々変形実施可能となるものである。前述の各実施形態では、表示装置によって表示する映像に係る映像データは、テレビジョン放送である場合を例にとって説明したが、テレビジョン放送に限られるものではなく、たとえば、ＤＶＤプレーヤやＨＤＤプレーヤなどから供給される映像データであってもよい。また、メタ情報は前述の各実施形態では映像とともに送られてくるものとしたが、映像とは別に送られてくるようにしてもよい。
【００８４】
また、前述の実施形態３においては、環境情報取得部２１が取得する環境情報としては、部屋の明るさ情報であったが、これに限られるものではなく、たとえば、表示装置を使用する部屋にいる人数（視聴する人数）を測定するセンサを設け、そのセンサによって得られた情報から視聴する人数を特定し、視聴する人数に応じて光源出力を最適な出力に設定するということもできる。また、視聴する個々の人を特定可能なセンサを設け、そのセンサによって、特定された個々の人ごとにユーザプロファイルを切り替えて使用することも可能である。
【００８５】
また、前述の実施形態４においては、光源の出力制御のみならず冷却ファンの出力制御をも行うことを示したが、それ以外の制御も可能である。たとえば、実施形態３のように、環境情報として部屋の明るさ情報の取得が可能であれば、部屋の明るさが所定の明るさになるまで表示を行わないといった制御も可能である。たとえば、ＤＶＤなどを表示させる場合、ＤＶＤの内容によっては、望ましい部屋の明るさを指定する場合がある。このような場合、取得された部屋の明るさ情報が、指定の値になるまで表示ができないようにするといった制御も可能である。
【００８６】
このように、ＤＶＤプレーヤやＨＤＤプレーヤから表示装置に映像データを供給している場合、これらのプレーヤを制御するプレーや制御部を設け、本編以外の「ＣＭ」や「予告」の表示中に表示装置の光源出力を小さくするだけでなく、「プレーヤの動作の一時停止」、「プレーヤの再生速度を低くまたは速くする」などの制御が可能である。
これによって、シーンにより光源の出力制御が可能となるとともに、映像データの供給を行うプレーヤの動作をも制御することができるので、より使い勝手がよく、しかも、無駄な動作を行わないことによる消費電力の削減など省エネルギという観点にも配慮することができる。
【００８７】
また、前述の各実施形態では、表示装置は、投写型の表示装置（たとえばプロジェクタなど）であるとして説明したが、投写型の表示装置に限られるものではなく、液晶テレビジョンなどの直視型の表示装置であってもよい。なお、液晶表示装置などの直視型の表示装置の場合には、光源部は電気光学変調部のバックライトである。
【００８８】
また、本発明は以上説明した本発明を実現するための処理手順が記述された処理プログラムを作成し、その処理プログラムを各種の記録媒体に記録させておくこともできる。したがって、本発明は、その処理プログラムの記録された記録媒体をも含むものである。また、ネットワークからその処理プログラムを得るようにしてもよい。
【図面の簡単な説明】
【００８９】
【図１】実施形態１に係る表示装置の構成を概略的に示す図。
【図２】表示装置としてのプロジェクタの光学系の構成を概略的に示す図。
【図３】映像データ及び該映像データとともに送られてくるメタ情報の一例を説明する図。
【図４】ユーザプロファイル情報記録部に記録されたユーザプロファイル情報の一例を示す図。
【図５】光源出力設定情報記録部に記録された光源出力設定情報を示す図。
【図６】光源出力レベルに対する光源出力の関係を示す図。
【図７】実施形態１に係る表示装置の動作手順を説明するフローチャート。
【図８】実施形態２に係る表示装置の構成を概略的に示す図。
【図９】光源出力設定情報記録部に記録された光源出力設定情報の変更方法の一例を示す図。
【図１０】ユーザプロファイル情報記録部に記録されたユーザプロファイル情報の変更方法の一例を示す図。
【図１１】実施形態３に係る表示装置の構成を概略的に示す図。
【図１２】実施形態３に係る表示装置に用いられる光源出力設定情報記録部に記録された光源出力設定情報の一例を示す図。
【図１３】実施形態１に係る表示装置の動作手順を説明するフローチャート。
【図１４】実施形態４に係る表示装置の構成を概略的に示す図。
【図１５】冷却ファン出力設定情報記録部３１に記録された冷却用ファン設定情報の一例を示す図。
【図１６】実施形態４に係る表示装置に用いられる光源及び冷却ファン出力設定情報記録部に記録された冷却ファン出力設定情報の一例を示す図。
【符号の説明】
【００９０】
１・・・シーン情報取得部、１ａ・・・メタ情報抽出部、１ｂ・・・メタ情報解析部、２・・・光源出力設定情報記録部、３・・・ユーザプロファイル情報記録部、４・・・光源出力設定部、５・・・光源出力制御部、１１・・・光源出力設定情報変更部、１２・・・ユーザプロファイル情報変更部、２１・・・環境情報取得部、３１・・・冷却ファン出力設定情報記録部、３２・・・冷却ファン出力設定部、３３・・・冷却ファン出力制御部
【図１】
2006330330.tif 000003
【図２】
2006330330.tif 000004
【図３】
2006330330.tif 000005
【図４】
2006330330.tif 000006
【図５】
2006330330.tif 000007
【図６】
2006330330.tif 000008
【図７】
2006330330.tif 000009
【図８】
2006330330.tif 000010
【図９】
2006330330.tif 000011
【図１０】
2006330330.tif 000012
【図１１】
2006330330.tif 000013
【図１２】
2006330330.tif 000014
【図１３】
2006330330.tif 000015
【図１４】
2006330330.tif 000016
【図１５】
2006330330.tif 000017
【図１６】
2006330330.tif 000018